(57)【要約】【課題】配線作業やメンテナンス作業の効率化、機種変更時における基板交換作業の効率化を図ることができる遊技機を提供すること。【解決手段】この遊技機１は、遊技機１の裏面側に複数種の基板１１〜１７を備える。複数種の基板１１〜１７のうち、機種変更時に交換する必要のない共用基板１５，１７を配置するとともに、遊技機裏面側から見てその共用基板１５，１７の手前側に、機種変更時に交換する必要のある専用基板１１を着脱可能に重ねて配置する。【選択図】　図３
2004049285.tif 000002
【特許請求の範囲】
【請求項１】
遊技機裏面側に複数種の基板を備える遊技機において、
前記複数種の基板のうち、機種変更時に交換する必要のない共用基板を配置するとともに、遊技機裏面側から見てその共用基板の手前側に、機種変更時に交換する必要のある専用基板を着脱可能に重ねて配置したことを特徴とする遊技機。
【請求項２】
前記共用基板への電源の供給状態と非供給状態とを切り替える切替部及び前記共用基板の制御を指示する指示部のうち少なくともいずれか一方を前記共用基板から独立させ、前記切替部あるいは前記指示部を前記専用基板及び他の共用基板の存在によって切替操作あるいは指示操作が阻害されない位置に配置したことを特徴とする請求項１に記載の遊技機。
【請求項３】
前記共用基板が電源基板であるとともに、前記切替部が前記電源基板への電源の供給状態と非供給状態とを切り替える電源用切替部である場合、前記電源用切替部に第１過電圧防止手段を設け、前記電源基板に第２過電圧防止手段を設けたことを特徴とする請求項２に記載の遊技機。
【請求項４】
前記共用基板が電源基板であるとともに、前記切替部が前記電源基板への電源の供給状態と非供給状態とを切り替える電源用切替部である場合、前記電源用切替部に第１過電流防止手段を設け、前記電源基板に第２過電流防止手段を設けたことを特徴とする請求項２または３に記載の遊技機。
【請求項５】
前記共用基板が電源基板であるとともに、前記切替部が前記電源基板への電源の供給状態と非供給状態とを切り替える電源用切替部である場合、前記電源用切替部に第１ノイズ防止手段を設け、前記電源基板に第２ノイズ防止手段を設けたことを特徴とする請求項２乃至４のいずれか１項に記載の遊技機。
【発明の詳細な説明】
【０００１】
【発明の属する技術分野】
本発明はパチンコ機などに代表される遊技機に係り、特にはその裏面側における各種基板の配置構造に関するものである。
【０００２】
【従来の技術】
近年における一般的なパチンコ機は、機構セット盤の裏面側に、主制御基板、サブ制御基板（例えば図柄制御基板、音声制御基板、ランプ制御基板等）、電源基板、払出制御基板、発射制御基板などを平面的に配置した構成を採っている。ここで図７に従来のパチンコ機の一例を概略的に示す。
【０００３】
図７のパチンコ機１０１の場合、外枠１０２に支持された中枠の裏面側には機構セット盤１０３が配設されている。機構セット盤１０３の中央部上寄りの位置（即ち遊技盤のほぼ裏側の位置）にはランプ制御基板１０５及び図柄制御基板１０６が設置されるとともに、それらを覆うように透明な樹脂材料からなるリアパック１０４が開閉着脱可能に取り付けられている。リアパック１０４の外面下方位置には電源基板１０７が搭載されている。機構セット盤１０３において電源基板１０７の下方位置には主制御基板１０８が配置されており、さらにその下方位置には発射制御基板１０９が配置されている。また、パチンコ機１０１の裏面側から見たときに主制御基板１０８の右側となる位置には払出制御基板１１０が配置され、さらにその下方位置には音声制御基板１１１が配置されている。なお、各基板１０５〜１１１は各々保護ケース内に収容されている。そして通常は、主制御基板１０８を中心としてサブ制御基板である図柄制御基板１０６、音声制御基板１１１、ランプ制御基板１０５が電気的に接続されている。また、各基板１０５，１０６，１０８〜１１１に対して電源を供給すべく電源基板１０７が電気的に接続されている。
【０００４】
【発明が解決しようとする課題】
ところが、上記従来のパチンコ機１０１の場合、裏面側において上下、左右方向（平面方向）にスペース的な余裕がないため、狭いスペースを有効に利用すべく配線の取り回しを工夫する必要があった。また、スペース的な余裕がないことから、配線作業やメンテナンス作業等を効率よく行うことができないという問題があった。
【０００５】
さらに、機種の変更時、つまり遊技盤を別の種類のものに変更するときには、主制御基板１０８やサブ制御基板（ランプ制御基板１０５、図柄制御基板１０６、音声制御基板１１１）も同時に別のものに交換する必要があるが、ランプ制御基板１０５及び図柄制御基板１０６の交換時には手前側に存在する電源基板１０７が邪魔になってしまう。このため、本来的には交換する必要のない電源基板１０７までもいったん取り外す必要性が生じ、このことが結果として基板交換作業の効率を低下させているという問題があった。
【０００６】
本発明は上記の課題に鑑みてなされたものであり、その目的は、配線作業やメンテナンス作業の効率化、機種変更時における基板交換作業の効率化を図ることができる遊技機を提供することにある。
【０００７】
【課題を解決するための手段】
上記の課題を解決するために、請求項１に記載の発明は、遊技機裏面側に複数種の基板を備える遊技機において、前記複数種の基板のうち、機種変更時に交換する必要のない共用基板を配置するとともに、遊技機裏面側から見てその共用基板の手前側に、機種変更時に交換する必要のある専用基板を着脱可能に重ねて配置したことを特徴とする遊技機をその要旨とする。
【０００８】
従って、請求項１に記載の発明によると、共用基板と専用基板とを重ねて配置したことにより、平面方向におけるスペースに余裕をもたせることができ、配線作業やメンテナンス作業等の効率化を図ることができる。また、専用基板は着脱可能に配置されていることから、機種変更に伴う専用基板の交換を困難なく行うことができる。さらに、専用基板は共用基板の手前側に存在していることから、機種変更に伴う専用基板の交換時に共用基板が何ら邪魔にならず、しかもそのときに共用基板自体を着脱する必要もなくなる。よって、専用基板の交換作業の効率化を図ることができる。
【０００９】
ここで「共用基板」とは、一般的に機種変更時であっても特に交換する必要がなく、機種の如何を問わず共用することが可能な基板をいい、具体的には電源基板、発射制御基板、払出制御基板等が挙げられる。これに対して「専用基板」とは、一般的に機種変更時にそれに併せて交換する必要のある基板をいい、具体的には主制御基板やサブ制御基板（例えば図柄制御基板、音声制御基板、ランプ制御基板等）が挙げられる。なお、共用基板及び専用基板は、各々単数であっても複数であっても構わない。
【００１０】
ここで「重ねて配置」とは、遊技機裏面側から見たとき、手前側の基板によって奥側の基板が完全に隠された状態で重ねられている場合のみをいうばかりでなく、手前側の基板によって奥側の基板が部分的に隠された状態で重ねられている場合も含まれる。なお、平面方向におけるスペース確保という観点からすると、奥側の基板の投影面積の半分以上が隠されるような状態で両者が重ねて配置されていることが望ましい。
【００１１】
請求項２に記載の発明は、請求項１において、前記共用基板への電源の供給状態と非供給状態とを切り替える切替部及び前記共用基板の制御を指示する指示部のうち少なくともいずれか一方を前記共用基板から独立させ、前記切替部あるいは前記指示部を前記専用基板及び他の共用基板の存在によって切替操作あるいは指示操作が阻害されない位置に配置したことをその要旨とする。
【００１２】
従って、請求項２に記載の発明によると、専用基板及び他の共用基板の存在に阻害されずに切替操作あるいは指示操作を行うことが可能となるため、かかる作業を容易にかつ効率よく行うことができる。また、前記切替部あるいは前記指示部を共用基板から独立させた構成であることから、共用基板からそれらを独立させていない構成に比べて、切替部あるいは指示部の設置自由度が大きくなる。ゆえに、切替部あるいは指示部を操作するのに都合の良い場所を適宜選択して、そこに切替部あるいは指示部を配置することができる。また、切替部あるいは指示部が共用基板に存在しないことにより、共用基板自体の設置の自由度も大きくできる。
【００１３】
請求項３に記載の発明は、請求項２において、前記共用基板が電源基板であるとともに、前記切替部が前記電源基板への電源の供給状態と非供給状態とを切り替える電源用切替部である場合、前記電源用切替部に第１過電圧防止手段を設け、前記電源基板に第２過電圧防止手段を設けたことをその要旨とする。
【００１４】
従って、請求項３に記載の発明によると、予期せぬ高電圧がコンセントから遊技機内に侵入した場合（例えば落雷時）には、まず電源用切替部に設けられた第１過電圧防止手段が作動して、過電圧の遊技機内部への侵入を防止する。この場合、過電圧の印加によって第１過電圧防止手段がダメージを被ったとしても、第１過電圧防止手段のみを交換するか、または電源用切替部全体を交換するだけで装置を復旧させることができる。よって、第２過電圧防止手段以降の構成、即ち電源基板以降の基板等については交換する必要がなく、交換作業も僅かな時間で済み、経済的にも有利なものとなる。第１過電圧防止手段にて過電圧を防止しきれなかったとしても、第２過電圧防止手段によって、過電圧の電源基板より下流側への侵入を確実に防止することができる。
【００１５】
なお、上記過電圧防止手段としては、例えば、双方向性ツェナーダイオードや単方向性ツェナーダイオード等が挙げられる。
【００１６】
第１及び第２過電圧防止手段の定格電圧は同等であってもよいほか、異なっていてもよい。両者の定格電圧を同等にした場合には、部品の共通化が可能となり、生産効率や管理効率を向上させることができる。両者の定格電圧を異ならせた場合、具体的には第２過電圧防止手段の定格電圧のほうを相対的に高く設定した場合には、第１過電圧防止手段にて食い止められなかった過電圧を第２過電圧防止手段にて確実に食い止めることができる。
【００１７】
請求項４に記載の発明は、請求項２または３において、前記共用基板が電源基板であるとともに、前記切替部が前記電源基板への電源の供給状態と非供給状態とを切り替える電源用切替部である場合、前記電源用切替部に第１過電流防止手段を設け、前記電源基板に第２過電流防止手段を設けたことをその要旨とする。
【００１８】
従って、請求項４に記載の発明によると、予期せぬ高電流がコンセントから遊技機内に侵入した場合（例えば落雷時）には、まず電源用切替部に設けられた第１過電流防止手段が作動して、過電流の遊技機内部への侵入を防止する。この場合、過電流の通過によって第１過電流防止手段がダメージを被ったとしても、第１過電流防止手段のみを交換するか、または電源用切替部全体を交換するだけで装置を復旧させることができる。よって、第２過電流防止手段以降の構成、即ち電源基板以降の基板等については交換する必要がなく、交換作業も僅かな時間で済み、経済的にも有利なものとなる。第１過電流防止手段にて過電流を防止しきれなかったとしても、第２過電流防止手段によって、過電流の電源基板以降への侵入を確実に防止することができる。
【００１９】
なお、上記の過電流防止手段としては、例えば、ヒューズやブレーカ等が挙げられる。
【００２０】
第１及び第２過電流防止手段の定格電流は同等であってもよいほか、異なっていてもよい。両者の定格電流を同等にした場合には、部品の共通化が可能となり、生産効率や管理効率を向上させることができる。両者の定格電流を異ならせた場合、具体的には第２過電流防止手段の定格電流のほうを相対的に高く設定した場合には、第１過電流防止手段にて食い止められなかった過電流を第２過電流防止手段にて確実に食い止めることができる。
【００２１】
請求項５に移載の発明は、請求項２乃至４のいずれか１項において、前記共用基板が電源基板であるとともに、前記切替部が前記電源基板への電源の供給状態と非供給状態とを切り替える電源用切替部である場合、前記電源用切替部に第１ノイズ防止手段を設け、前記電源基板に第２ノイズ防止手段を設けたことをその要旨とする。
【００２２】
従って、請求項５に記載の発明によると、外部電源からコンセントを介して遊技機内部にノイズが侵入しようとしても、そのノイズは第１ノイズ防止手段によって食い止められて電源用切替部よりも下流側に侵入することができなくなる。
【００２３】
なお、電源用切替部を電源基板から独立させた結果、電源用切替部と電源基板との間を配線で接続する必要が生じ、それゆえその配線経路上でノイズが発生する可能性があるが、この場合であってもノイズは第２ノイズ防止手段によって食い止められて電源基板よりも下流側に侵入することができなくなる。
【００２４】
なお、上記のノイズ防止手段としては、例えばコイル等が挙げられる。
【００２５】
第１及び第２ノイズ防止手段のノイズ防止能力（例えばコイルの場合にはインダクタンス）は同等であってもよいほか、異なっていてもよい。両者のノイズ防止能力を同等にした場合には、部品の共通化が可能となり、生産効率や管理効率を向上させることができる。また、両者のノイズ防止能力を異ならせた場合、具体的には第１ノイズ防止手段のノイズ防止能力のほうを相対的に高く設定した場合には、下記のような作用効果を奏する。即ち、電源用切替部から電源基板までの配線経路上にて発生するノイズは比較的少なく、電源用切替部の上流側にて発生するノイズが殆どであるため、上記のように設定することでノイズをより上流側で（発生源に近いところで）食い止めることができる。一方、第２ノイズ防止手段については第１ノイズ防止手段ほど高いノイズ防止能力が要らないため、第２ノイズ防止手段に必要以上の能力を与えることによる無駄が防止され、ひいては高コスト化を回避することができる。
【００２６】
【発明の実施の形態】
［第１の実施の形態］
【００２７】
以下、本発明を具体化した一実施形態のパチンコ機１を図１〜図３に基づき詳細に説明する。なお本実施形態において「左」又は「右」とは、パチンコ機１の裏側（背面側）から見たときの「左」又は「右」を示すものとする。
【００２８】
図１には、パチンコ機１の裏面側の構成が概略的に示されている。パチンコ機１は機体の外郭をなす縦長方形の外枠２を備えている。外枠２の開口前面側には、各種の遊技用構成部材をセットするための縦長方形の中枠（図示略）が、開閉可能かつ着脱可能な状態で組み付けられている。中枠の前面側には、透視保護窓を有する前枠、上球皿、下球皿、打球発射装置等（いずれも図示略）がセットされている。
【００２９】
一方、中枠の裏面側には、裏部品を組み付けるための機構セット盤３が配設されている。この機構セット盤３の裏面側における上部左側の箇所には、遊技球を貯溜するための球タンク４が設けられている。この球タンク４下方には、そこから流れ出る遊技球を整列状態で流下させるためのタンクレール５が設けられている。斜め右下方向に延びる前記タンクレール５の下端（右端）には、球供給路６が設けられている。この球供給路６の下端部には、球払出装置７が接続されている。
【００３０】
また、球タンク４の右側のスペースには、図示しないホールコンピュータとパチンコ機１とを接続するための枠用外部端子板８が配設されている。枠用外部端子板８は、賞球情報、球貸し情報及び球切れ情報をホールコンピュータに対して送信するようになっている。
【００３１】
図１に示されるように、本実施形態のパチンコ機１は、機構セット盤３の裏面側に、複数種の基板（主制御基板１１、音声制御基板１２、ランプ制御基板１３、図柄制御基板１４、払出制御基板１５、発射制御基板１６、電源基板１７）等を備えている。主制御基板１１、音声制御基板１２、ランプ制御基板１３及び図柄制御基板１４は、一般的に機種変更時にそれに併せて交換する必要のある基板、即ち各機種専用の基板であることから、本実施形態ではこれらを「専用基板」と定義する。一方、払出制御基板１５、発射制御基板１６及び電源基板１７は、一般的に機種変更時であっても特に交換する必要がなく、機種の如何を問わず共用することが可能な基板であることから、本実施形態ではこれらを「共用基板」と定義する。
【００３２】
次に、図２に基づき各基板１１〜１７の機能及び相互接続関係等について説明する。
【００３３】
専用基板の一種である主制御基板１１は、ＣＰＵ（いわゆるメインＣＰＵ）、ＲＯＭ、ＲＡＭ等からなり、各機種ごとに定められた遊技演出を統括的に制御する役割を果たしている。具体的にいうと、この主制御基板１１は、各サブ制御基板（音声制御基板１２、ランプ制御基板１３、図柄制御基板１４）の行う遊技演出の大枠（演出パターンや大当り確率など）を決定し、各サブ制御基板に対して所定の指示を行う。また、主制御基板１１は、遊技球の入賞による遊技球の払出数を決定して払出制御基板１５に対して払出しの指示を行う。そのため、前記ＲＯＭ内には各種の制御プログラムが格納されており、メインＣＰＵはその制御プログラムを適宜実行するようになっている。
【００３４】
同じく専用基板の一種である音声制御基板１２は、ＣＰＵ（いわゆるサブＣＰＵ）、ＲＯＭ、ＲＡＭ等からなり、主制御基板１１と音声発生手段である図示しないスピーカ等との間に介在した状態で接続されている。前記ＲＯＭ内には具体的な音声演出情報や制御プログラムなどが記憶されている。主制御基板１１側から所定の指令信号が送られてくると、サブＣＰＵは、主制御基板１１が決定、指示した遊技演出の大枠に基づいて、各機種ごとに定められた音声演出を実行するようになっている。
【００３５】
同じく専用基板の一種であるランプ制御基板１３は、ＣＰＵ（いわゆるサブＣＰＵ）、ＲＯＭ、ＲＡＭ等からなり、主制御基板１１と図示しないランプ類との間に介在した状態で接続されている。前記ＲＯＭ内には具体的なランプ演出情報や制御プログラムなどが記憶されている。主制御基板１１側から所定の指令信号が送られてくると、サブＣＰＵは、主制御基板１１が決定、指示した遊技演出の大枠に基づいて、各機種ごとに定められたランプ演出を実行するようになっている。
【００３６】
同じく専用基板の一種である図柄制御基板１４は、ＣＰＵ（いわゆるサブＣＰＵ）、ＲＯＭ、ＲＡＭ等からなり、主制御基板１１と図示しない図柄表示装置との間に介在した状態で接続されている。
【００３７】
前記ＲＯＭ内には具体的な画像演出情報や制御プログラムなどが記憶されている。主制御基板１１側から所定の指令信号が送られてくると、サブＣＰＵは、主制御基板１１が決定、指示した遊技演出の大枠に基づいて、各機種ごとに定められた画像演出を実行するようになっている。
【００３８】
共用基板の一種である払出制御基板１５は、主制御基板１１と球払出装置７との間に介在された状態で接続されており、主制御基板１１からの払出し指示により球払出装置７における遊技球の払出しを制御するようになっている。
【００３９】
同じく共用基板の一種である発射制御基板１６は、打球発射装置を構成するハンドルユニットの操作状態を検知し、それに基づいて遊技球の発射強度を制御する役割を果たしている。発射制御基板１６は、払出制御基板１５と、図示しない打球発射装置の球送りソレノイドとの間に介在した状態で接続されている。
【００４０】
同じく共用基板の一種である電源基板１７は、各基板１１〜１６の動作に必要な複数の電源電圧（例えば３０Ｖ，２４Ｖ，１２Ｖ，５Ｖ、いずれも直流）を生成する役割を果たしている。従って、電源基板１７は各基板１１〜１６に対して電気的に接続されており、各基板１１〜１６は電源基板１７からの電源供給を受けて動作するようになっている。
【００４１】
本実施形態の電源基板１７は、上記複数の電源電圧を生成するために２４Ｖ外部電源１９から電力を得ているが、２４Ｖ外部電源１９に対して直接的に接続されているわけではなくスイッチ基板１８を介して間接的に接続されている（図２参照）。
【００４２】
スイッチ基板１８は、電源基板１７への電源の供給状態と非供給状態とを切り替える電源用切替部としての機能を有するものであって、そのための構成として電源スイッチ２１を備えている。かかる電源スイッチ２１としては特に限定されることはなく、例えば従来公知の各種の機械式スイッチを採用することができる。つまり、このような電源スイッチ２１は、本来的には電源基板１７自体に搭載されるものであるが、本実施形態ではそれが電源基板１７から独立して別の基板（即ちスイッチ基板１８）上に配設されている。
【００４３】
図２に示されるように、本実施形態のスイッチ基板１８には、電源スイッチ２１のほか、第１過電圧防止手段２２、第１過電流防止手段２３及び第１ノイズ防止手段２４が設けられている。その一方、電源基板１７には、整流回路３１、第２過電圧防止手段３２、第２過電流防止手段３３及び第２ノイズ防止手段３４が設けられている。
【００４４】
第１過電圧防止手段２２及び第２過電圧防止手段３２として、本実施形態では、ＤＣ変換前のＡＣの状態で過電圧の保護を図るために、双方向性ツェナーダイオードを使用している。ここで双方向性ツェナーダイオードとは、印加電圧が定格電圧に到達するまでは電流が少量しか流れないが、定格電圧を超えてブレークダウン電圧に到達すると電流が大量に流れて電圧値がほぼ一定になり、それを超えると壊れる性質を有したダイオードのことをいう。そして、このような性質があることにより、過電圧からの保護が図られるようになっている。ここでは、第１過電圧防止手段２２及び第２過電圧防止手段３２として、具体的には、形名が「Ｚ１０５６」のツェナーダイオードを用いている。かかるツェナーダイオードの定格電圧は４５．４ボルト、ブレークダウン電圧は５６ボルト、最大制限電圧（瞬間的な電圧に対しての耐電圧値）は８０．５ボルトとなっている。つまり、第１過電圧防止手段２２及び第２過電圧防止手段３２として、規格が同等のツェナーダイオードを使用している。
【００４５】
第１過電流防止手段２３及び第２過電流防止手段３３としては、具体的にはヒューズが使用されている。前記ヒューズはスイッチ基板１８上に搭載されたヒューズソケットに装着されている。そして前記ヒューズは、定格電流を超える電流が所定時間流れると溶断して、回路を過電流から保護するようになっている。ここでは、第１過電流防止手段２３及び第２過電流防止手段３３として、具体的には、「ＭＦ−５１」（ＪＩＳ）という呼び名のヒューズを用いている。かかるヒューズの定格電圧は１２５ボルト、定格電流は８アンペアとなっている。つまり、第１過電流防止手段２３及び第２過電流防止手段３３として、等しい規格のヒューズを使用している。
【００４６】
第１ノイズ防止手段２４及び第２ノイズ防止手段３４としては、具体的にはコイル（ラインフィルタ）が使用されている。かかるコイルは、急激な電圧の変化（即ちノイズ）を滑らかにすることによりノイズを除去する役割を果たしている。ここでは、第１ノイズ防止手段２４及び第２ノイズ防止手段３４として、具体的には、筒状のコアに第１コイルと第２コイルとを巻回してなるラインフィルタ（インダクタンス＝１ｍＨ、第１及び第２コイルのインダクタンス差＝５０μＨ）を用いている。なお、ノイズ防止能力はインダクタンスが大きいコイルほど大きい。
【００４７】
上記の過電圧防止手段、過電流防止手段及びノイズ防止手段は、本来的には電源基板１７自体に搭載されるべきものであるが、本実施形態ではそれらの一部の機能が電源基板１７から独立して別の基板（即ちスイッチ基板１８）に搭載されている。
【００４８】
図１，図３に示されるように、主制御基板１１、音声制御基板１２、ランプ制御基板１３、図柄制御基板１４、払出制御基板１５、発射制御基板１６、電源基板１７は、各々専用の保護ケース４１内に収容されている。これらの保護ケース４１は、透明または半透明な合成樹脂材料からなる開閉可能な平箱であって、その底部に各基板１１〜１７を平行に配置した状態でネジにより封印されている。これらの保護ケース４１には、各基板１１〜１７から発生する熱を逃がすための多数の貫通孔（図示略）が形成されている。本実施形態における各基板１１〜１７は具体的には合成樹脂材料からなるプリント配線板であって、同プリント配線板はその片面側のみに電子部品を有している。なお、プリント配線板における部品実装面は、容易に目視可能とすべく、パチンコ機１の裏面側から見て手前側になるように配置されている。一方、スイッチ基板１８については特に保護ケース４１内に収容されておらず、枠用外部端子板８と同様に露出状態にて配置されている。
【００４９】
次に、各基板１１〜１７の配置関係について説明する。
【００５０】
図１に示されるように、機構セット盤３の中央部上寄りの位置（具体的には遊技盤に取り付けられた図示しない図柄表示装置のほぼ裏側の位置）には、図柄制御基板１４が保護ケース４１内に収容された状態で配置されている。この図柄制御基板１４の左下側位置には、ランプ制御基板１３が保護ケース４１内に収容された状態で配置されている。そして、これら基板１３，１４を収容する前記２つの保護ケース４１は、リアパック４２によって覆われることで保護されている。なお、リアパック４２は半透明な樹脂材料からなり、機構セット盤３に対して開閉着脱可能に取り付けられている。
【００５１】
機構セット盤３よりも下方かつ右寄りの位置には、音声制御基板１２が保護ケース４１内に収容された状態で配置されている。機構セット盤３よりも下方かつ左寄りの位置、つまり打球発射装置の設置箇所に対応した位置には、発射制御基板１６が保護ケース４１内に収容された状態で配置されている。なお、これらの基板１２，１３，１４，１６は、いずれもパチンコ機１の裏面（機構セット盤３の裏面）に対して平行になっている。各保護ケース４１は図示しないボルトなどを用いて機構セット盤３等に着脱可能に固定されている。
【００５２】
図１，図３に示されるように、リアパック４２の下方位置には、３種の基板（主制御基板１１、払出制御基板１５及び電源基板１７）が、パチンコ機１の前後方向に重ね合わされた状態で配置されている。具体的にいうと、機構セット盤３の裏面に共用基板である払出制御基板１５が設置され、払出制御基板１５の手前側に同じく共用基板である電源基板１７が設置され、電源基板１７のさらに手前側に専用基板である主制御基板１１が配置されている。なお、これらの基板１１，１５，１７はいずれも保護ケース４１内に収容されるとともに、相互の保護ケース４１同士を重ね合わせるようにして着脱可能に固定されている。これらの基板１１，１５，１７は、いずれもパチンコ機１の裏面（機構セット盤３の裏面）に対して平行になっている。
【００５３】
パチンコ機１の裏面側から見たときの前記３種の基板１１，１５，１７の投影面積（保護ケース４１分を含む投影面積）は、手前側に位置するものほど大きくなっている。つまり、主制御基板１１が最も大きく、電源基板１７がそれに次いで大きく、払出制御基板１５が最も小さい。このため、上記２つの共用基板（払出制御基板１５及び電源基板１７）は、専用基板である主制御基板１１に隠されることにより完全に非露出状態となっている（図１参照）。ただし、主制御基板１１用の保護ケース４１は、電源基板１７用の保護ケース４１に対して、着脱可能な状態で取り付けられている。かかる着脱を可能とする構造としては、従来公知の手段を広く適用することができる。例えば、一方の保護ケース４１に係合部を設け、他方の保護ケース４１に前記係合部に係脱可能な被係合部を設ける、という構造をもって、上記の着脱可能構造としてもよい。
【００５４】
一方、図１に示されるように、前記スイッチ基板１８は、パチンコ機１の裏面側上部にある枠用外部端子板８のすぐ左側に配置されている。その理由は、パチンコ機１の裏面側上部位置は、電源用切替部等の機能を有するスイッチ基板１８を配置する場所として、最も都合がよい場所だからである。つまり、かかる位置であると、他の基板１１〜１７の存在によって電源スイッチ２１の切替操作が阻害されないため切替操作を容易に行うことができ、しかも電源スイッチ２１等の位置がわかりやすくて見やすくなるからである。また、パチンコ機１の裏面側上部には２４Ｖ外部電源１９用のプラグ（図示略）があることから、外部の電源を取得する位置として好適だからである。そして、このようなスイッチ基板１８と電源基板１７とは、図示しない配線を介して電気的に接続されている。
【００５５】
従って、本実施形態によれば以下のような効果を得ることができる。
【００５６】
（１）本実施形態では、機種変更時に交換する必要のない共用基板（払出制御基板１５及び電源基板１７）を２段重ねにして配置し、その手前側に専用基板（主制御基板１１）を着脱可能に重ねて配置している。従って、パチンコ機１裏面側における基板占有面積を、払出制御基板１５及び電源基板１７の面積分だけ減少させることができる。ゆえに、平面方向におけるスペースに大きな余裕をもたせることができ、配線作業やメンテナンス作業等の効率化を図ることができる。また、専用基板である主制御基板１１は、保護ケース４１ごと着脱可能に配置されていることから、主制御基板１１の交換を伴う機種変更を困難なく行うことができる。さらに、主制御基板１１は払出制御基板１５及び電源基板１７の手前側に存在している。よって、機種変更に伴う主制御基板１１の交換時においても、これらの基板１５，１７が何ら邪魔にならず、しかもそのときに前記基板１５，１７自体を着脱する必要もなくなる。よって、主制御基板１１の交換作業の効率化を図ることができる。
【００５７】
（２）本実施形態では、３枚の基板１１，１５，１７をそれぞれ保護ケース４１内に収容した状態で３段重ねにして配置している。従って、各基板１１，１５，１７を確実に保護することができる。また、かかる保護ケース４１なしのままであると、基板１１，１５，１７に実装された電子部品が剥き出しになることから表面に凹凸ができ、各基板１１，１５，１７同士を接触させた状態で安定的に重ね合わせることができない。しかし、保護ケース４１内に収容した状態にすれば、各保護ケース４１の平坦な外面同士を接触させた状態で安定的に重ね合わせることができる。また、３枚の基板１１，１５，１７は、いずれもパチンコ機１の裏面（機構セット盤３の裏面）に対して平行に配置されている。そのため、少なくともいずれかの基板１１，１５，１７をパチンコ機１の裏面（機構セット盤３の裏面）に対して垂直に配置したような場合に比べて、パチンコ機１の前後方向の厚さの増加分が小さくなる。よって、パチンコ機１の大型化を回避することができる。
【００５８】
（３）本実施形態では、電源基板１７への電源の供給状態と非供給状態とを切り替える電源用切替部（即ちスイッチ基板１８）を電源基板１７から独立させ、前記電源用切替部を他の基板１１〜１７の存在によって切替操作が阻害されない位置（即ちパチンコ機１の裏面側上部位置）に配置している。従って、作業者は専用基板及び他の共用基板に阻害されずに切替操作を行うことが可能となり、かかる作業を容易にかつ効率よく行うことができるようになる。
【００５９】
（４）本実施形態では、スイッチ基板１８に第１過電圧防止手段２２及び第１過電流防止手段２３を設ける一方、電源基板１７に第２過電圧防止手段３２及び第２過電流防止手段３３を設けている。従って、予期せぬ高電圧・高電流がコンセントからパチンコ機１内に侵入した場合（例えば落雷時）には、まず第１過電圧防止手段２２及び第１過電流防止手段２３が作動して、過電圧・過電流のパチンコ機１内部への侵入を防止する。この場合、過電圧・過電流の印加によって第１過電圧防止手段２２及び第１過電流防止手段２３がダメージを被ったとしても、第１過電圧防止手段２２及び第１過電流防止手段２３のみを交換するか、またはスイッチ基板１８全体を交換するだけで装置を復旧させることができる。よって、電源基板１７以降の基板１１〜１６等については交換する必要がなく、交換作業も僅かな時間で済み、経済的にも有利なものとなる。第１過電圧防止手段２２及び第１過電流防止手段２３にて過電圧・過電流を防止しきれなかったとしても、第２過電圧防止手段３２及び第２過電流防止手段３３によって、過電圧・過電流の電源基板１７よりも下流側への侵入を確実に防止することができる。
【００６０】
（５）本実施形態では、スイッチ基板１８に第１ノイズ防止手段２４を設ける一方、電源基板１７に第２ノイズ防止手段３４を設けている。従って、２４Ｖ外部電源１９からコンセントを介してパチンコ機１内部にノイズが侵入しようとしても、そのノイズは第１ノイズ防止手段２４によって食い止められてスイッチ基板１８よりも下流側に侵入することができなくなる。よって、ノイズに起因したパチンコ機１の誤動作の発生を未然に防止することができる。なお、電源スイッチ２１（スイッチ基板１８）と電源基板１７との間をつなぐ配線経路上でノイズが発生する可能性があるが、この場合であってもノイズは第２ノイズ防止手段３４によって食い止められて電源基板１７よりも下流側に侵入することができなくなる。
【００６１】
（６）本実施形態では、第１及び第２過電圧防止手段２２，３２の定格電圧、第１及び第２過電流防止手段２３，３３の定格電流、第１及び第２ノイズ防止手段２４，３４のノイズ防止能力は、いずれも同等に設定されている。このため、電源基板１７及びスイッチ基板１８の間で、ツェナーダイオード、ヒューズ、コイルの部品共通化が可能となり、生産効率や管理効率を向上させることができる。
【００６２】
［第２の実施の形態］
次に、本発明を具体化した第２実施形態のパチンコ機１を図４，図５に基づき説明する。なお、ここでは第１実施形態と相違する構成についてのみ述べる。
【００６３】
第１実施形態では、１枚の専用基板（主制御基板１１）の奥側に２枚の共用基板（払出制御基板１５及び電源基板１７）を配置するにあたり、上記２枚の共用基板をパチンコ機１の前後方向に重ねて配置していた。しかし、ここでは２枚の共用基板を重ね合わせるのではなく、機構セット盤３の裏面から２枚の共用基板までの距離がそれぞれ等しくなるような状態で配置している。つまり、２枚の共用基板を上下方向に横並びにして配置している点で、本実施形態のものは第１実施形態と相違している。
【００６４】
より具体的にいうと、本実施形態の場合、払出制御基板１５が主制御基板１１の奥側下部領域に配置され、電源基板１７が主制御基板１１の奥側上部領域にある既存の未利用空間Ｓ内に配置されている（図４，図５参照）。従って、本実施形態の構成によると、未利用空間Ｓの有効利用が図られる結果、パチンコ機１裏面側のスペースをいっそう効率よく利用することができるようになる。また、第１実施形態のような３段重ね構造に比較して、パチンコ機１の前後方向の厚さの増加分をさらに抑えることができる。よって、パチンコ機１の裏面側への突出量がより小さくなり、パチンコ機１の大型化を回避することができる。
【００６５】
［第３の実施の形態］
次に、本発明を具体化した第３実施形態のパチンコ機１を説明する。なお、ここでは第１実施形態と相違する構成についてのみ述べる。
【００６６】
本実施形態では、第１及び第２過電圧防止手段２２，３２、第１及び第２過電流防止手段２３，３３、第１及び第２ノイズ防止手段２４，３４の条件設定が第１実施形態と異なっている。即ち、第１過電圧防止手段２２に比べて第２過電圧防止手段３２の定格電圧、ブレークダウン電圧、最大制限電圧を相対的に高く設定している。具体的にいうと、第１過電圧防止手段２２としては、定格電圧が４５．４ボルト、ブレークダウン電圧が５６ボルト、最大制限電圧が８０．５ボルトのツェナーダイオード（形名「Ｚ１０５６」）を使用している。第２過電圧防止手段３２としては、定格電圧が５５．１ボルト、ブレークダウン電圧が６８ボルト、最大制限電圧が９８．０ボルトのツェナーダイオード（形名「Ｚ１０６８」）を使用している。
【００６７】
また、第１過電流防止手段２３に比べて第２過電流防止手段３３の定格電流を相対的に高く設定している。具体的にいうと、第１過電流防止手段２３としては、定格電圧が１２５ボルト、定格電流が８アンペアのヒューズを使用している。第２過電流防止手段３３としては、定格電圧が１２５ボルト、定格電流が１０アンペアのヒューズを使用している。
【００６８】
また、第２ノイズ防止手段２４に比べて第１ノイズ防止手段３４のインダクタンス（即ちノイズ防止能）を相対的に高く設定している。具体的にいうと、第１ノイズ防止手段２４としては、インダクタンスが２ｍＨ、第１及び第２コイルのインダクタンス差が６０μＨのラインフィルタを用いている。第２ノイズ防止手段３４としては、インダクタンスが１ｍＨ、第１及び第２コイルのインダクタンス差が５０μＨのラインフィルタを用いている。
【００６９】
従って、本実施形態によると以下のような作用効果を奏する。即ち、第１過電圧防止手段２２及び第１過電流防止手段２３にて食い止められなかった過電圧・過電流を、第２過電流防止手段３２及び第２過電流防止手段３３にて確実に食い止めることができる。また、過電圧・過電流によって仮に故障・破壊が起こるような場合であったとしても、優先的に第１過電圧防止手段２２及び第１過電流防止手段２３のほうに故障を起こさせることができる。よって、殆どの場合においてスイッチ基板１８上のツェナーダイオード及びヒューズのみを交換、あるいはスイッチ基板１８自体を交換すればよく、装置の復旧作業を極めて容易に行うことができる。また、ノイズ防止能の高い第１ノイズ防止手段２４をスイッチ基板１８側に配設したことによって、外部電源から侵入する予測不可能なノイズをより上流側で（発生源に近いところで）食い止めることができる。一方、第２ノイズ防止手段３４については、第１ノイズ防止手段２４で防止された後であって
第２ノイズ防止手段に至る経路で新たに生じた弱いノイズを防止するにすぎないから、第１ノイズ防止手段２４ほど高いノイズ防止能力が要らず、第２ノイズ防止手段３４に必要以上の能力を与えることによる無駄が防止され、ひいては高コスト化を回避することができる。
【００７０】
なお、本発明の実施形態は以下のように変更してもよい。
【００７１】
・例えば、図６に示す別の実施形態のように構成することも可能である。ここでは、払出制御基板１５が主制御基板１１の奥側上部領域に配置され、電源基板１７が主制御基板１１の奥側下部領域に配置されている。払出制御基板１５は主制御基板１１の背後に完全に隠れて非露出状態となっているのに対し、電源基板１７の下端側は主制御基板１１の下方に張り出している。つまり、電源基板１７は主制御基板１１と重ね合わされた状態で配置されているとはいえども、その一部が露出した状態となっている。そして、張り出して露出した部分である電源基板１７の下端部には、ＲＡＭクリアスイッチ５１が容易に操作可能な状態で搭載されている。通常、主制御基板１１のＲＡＭは、停電時における遊技状態や未払出し賞球残数を記憶するバックアップ機能を備えている。ＲＡＭクリアスイッチ５１は、電源基板１７から主制御基板１１へ向けてＲＡＭクリア信号を発信するか否かを指示するための指示部である。電源スイッチ２１をオンして電源を投入する際に同時にＲＡＭクリアスイッチ５１をオンすることによってＲＡＭクリア信号が発信されると、主制御基板１１のＲＡＭの記憶した遊技状態及び未払出し賞球残数の全データが消去されるようになっている。そして、図６の構成によれば、作業者は他の基板１１〜１６に阻害されずにＲＡＭクリアスイッチ５１による指示操作を行うことが可能となり、かかる作業を容易にかつ効率よく行うことができる。
【００７２】
・また、ＲＡＭクリアスイッチ５１を電源基板１７から独立させるとともに、そのＲＡＭクリアスイッチ５１を他の基板１１〜１６の存在によって指示操作が阻害されない位置（特にスイッチ基板１８上）に配置することがよい。このように電源スイッチ２１のあるスイッチ基板１８上にＲＡＭクリアスイッチ５１を設けた場合、電源スイッチ２１とＲＡＭクリアスイッチ５１との距離が近くなる。その結果、ＲＡＭクリア時の操作性（即ち、電源スイッチ２１とＲＡＭクリアスイッチ５１とを同時にオンする際の操作性）が向上する。
【００７３】
・上記各実施形態では、スイッチ基板１８は、パチンコ機１の裏面側上部にある枠用外部端子板８の近傍位置に設置されていたが、そこに限定されることはなく異なる位置に設置されてもよい。
【００７４】
・例えば第１実施形態においては、３枚の基板１１，１５，１７は各々保護ケース４１内に収容された状態で互いに重ね合わされて配置されていた。しかし、前記３枚の基板１１，１５，１７が交換可能であること担保したうえでそれらを重ね合わせて配置し、さらにこれを１つの共通の保護ケース４１内に収容するようにしてもよい。また、保護ケース４１を使用することなく前記３枚の基板１１，１５，１７を重ね合わせて配置してもよい。
【００７５】
・共用基板の手前側に専用基板を重ねて配置する場合における共用基板の枚数は、上記各実施形態では２枚とされていたが、これに限定されることはなく、１枚または３枚以上であってもよい。
【００７６】
次に、特許請求の範囲に記載された技術的思想のほかに、前述した実施形態によって把握される技術的思想を以下に列挙する。
【００７７】
（１）請求項１乃至５のいずれか１項において、前記共用基板及び前記専用基板は各々保護ケース内に収容されており、それらは相互の保護ケース同士を重ねた状態で固定されていること。従ってこの構成によると、重ねて配置したときでも各基板を保護ケースにより保護することができるとともに、安定的に配置することができる。
【００７８】
（２）請求項３において、前記第２過電圧防止手段の定格電圧は前記第１過電圧防止手段の定格電圧よりも相対的に高く設定されていること。従ってこの構成によると、第１過電圧防止手段にて食い止められなかった過電圧を第２過電圧防止手段にて確実に食い止めることができる。
【００７９】
（３）請求項４において、前記第２過電流防止手段の定格電流は前記第１過電流防止手段の定格電流よりも相対的に高く設定されていること。従ってこの構成によると、第１過電流防止手段にて食い止められなかった過電流を第２過電流防止手段にて確実に食い止めることができる。
【００８０】
（４）請求項５において、前記第１ノイズ防止手段のノイズ防止能力は前記第２ノイズ防止手段のノイズ防止能力よりも相対的に高く設定されていること。従ってこの構成によると、ノイズをより上流側で食い止めることができるとともに、必要以上の能力を与えることによる無駄や高コスト化を回避することができる。
【００８１】
（５）請求項１乃至５のいずれか１項において、前記共用基板は、前記専用基板の一種である主制御基板の奥側にある既存の未利用空間内に配置されていること。従ってこの構成によると、遊技機裏面側のスペースをいっそう効率よく利用することができる。
【００８２】
（６）請求項２乃至５のいずれか１項において、前記切替部及び前記指示部は、遊技機裏面側上部にある枠用外部端子板の近傍に配置されていること。従ってこの構成によると、切替部や指示部の操作を容易に行うこと等ができるとともに、切替部や指示部がわかりやすくて見やすくなる。
【００８３】
（７）請求項１乃至５のいずれか１項において、１枚の専用基板の奥側に２枚以上の共用基板を配置する場合において、各共用基板を重ねて配置すること。従ってこの構成によると、平面方向におけるスペースに大きな余裕をもたせることができる。
【００８４】
（８）請求項１乃至５のいずれか１項において、１枚の専用基板の奥側に２枚以上の共用基板を配置する場合において、各共用基板を重ねずに横並びに配置すること。従ってこの構成によると、共用基板を３枚以上重ねた構造に比較して、遊技機前後方向の厚さの増加分を抑えることができる。
【００８５】
（９）請求項１において、前記共用基板は、該共有基板への電源の供給状態と非供給状態とを切り替える切替部及び前記共用基板の制御を指示する指示部のうち少なくともいずれか一方を有しており、前記専用基板及び他の共用基板の存在によって切替操作あるいは指示操作が阻害されない位置に配置したこと。従ってこの構成によると、専用基板及び他の共用基板の存在に阻害されずに切替操作あるいは指示操作を行うことが可能となるため、かかる作業を容易にかつ効率よく行うことができる。
【００８６】
（１０）請求項１において、前記共用基板への電源の供給状態と非供給状態とを切り替える切替部及び前記共用基板の制御を指示する指示部をともに前記共用基板から独立させ、前記切替部及び前記指示部を前記専用基板及び他の共用基板の存在によって切替操作及び指示操作が阻害されない位置に配置した同一の基板上に設けたこと。従ってこの構成によると、切替部と指示部との距離が近くなるため、それらを例えば同時に操作することが容易になり、操作性が向上する。
【００８７】
【発明の効果】
以上詳述したように、請求項１〜５に記載の発明によれば、配線作業やメンテナンス作業の効率化、機種変更時における基板交換作業の効率化を図ることができる遊技機を提供することができる。
【図面の簡単な説明】
【図１】本発明の遊技機を具体化した第１実施形態のパチンコ機を示す概略背面図。
【図２】同パチンコ機の電気的接続関係を概略的に示すブロック図。
【図３】図１のＡ−Ａ線における概略断面図。
【図４】第２実施形態のパチンコ機を示す概略背面図。
【図５】図４のＢ−Ｂ線における概略断面図。
【図６】別の実施形態のパチンコ機を示す概略断面図。
【図７】従来のパチンコ機を示す概略背面図。
【符号の説明】
１１…専用基板の一種である主制御基板
１２…専用基板の一種である音声制御基板
１３…専用基板の一種であるランプ制御基板
１４…専用基板の一種である図柄制御基板
１５…共用基板の一種である払出制御基板
１６…共用基板の一種である発射制御基板
１７…共用基板の一種である電源基板
１８…切替部（電源用切替部）としてのスイッチ基板
２２…第１過電圧防止手段
３２…第２過電圧防止手段
２３…第１過電流防止手段
３３…第２過電流防止手段
２４…第１ノイズ防止手段
３４…第２ノイズ防止手段
５１…指示部としてのＲＡＭクリアスイッチ
【図１】
2004049285.tif 000003
【図２】
2004049285.tif 000004
【図３】
2004049285.tif 000005
【図４】
2004049285.tif 000006
【図５】
2004049285.tif 000007
【図６】
2004049285.tif 000008
【図７】
2004049285.tif 000009